(57)【特許請求の範囲】
【請求項１】
アンカーボルトの下端部に形成されたねじ部が挿入される２以上の孔部を備えた定着板であって、定着板には、側端に、定着板の孔部に挿通するアンカーボルトの重心から近く、アンカーボルトを挿通する孔部から等間隔離れた位置に、捨てコンクリート上に設置したベース部から立設するポストアングルに固着されたスタッドボルトを挿通するための切欠溝が形成され、切欠溝には、捨てコンクリート上に設置したベース部から立設するポストアングルに固着されたスタッドボルトを挿通するための、定着板の厚さと同じかそれより短い高さの筒形の鋼管が固着されていることで、鋼管に、捨てコンクリート上に設置したベース部から立設するポストアングルに固着されたスタッドボルトを挿通し、スタッドボルトを、上下方向から定着板を挟持するように一対のナットで締結することで、定着板の設置高さを無段階で調節できることを特徴とするアンカーボルトの定着板。
【請求項２】
アンカーボルトの下端部に形成されたねじ部が挿入される２以上の孔部を備えた定着板であって、定着板には、側端に、定着板の孔部に挿通するアンカーボルトの重心から近く、アンカーボルトを挿通する孔部から等間隔離れた位置に、捨てコンクリート上に設置したベース部から立設するポストアングルに固着されたスタッドボルトを挿通するための切欠溝が形成され、切欠溝には、捨てコンクリート上に設置したベース部から立設するポストアングルに固着されたスタッドボルトを挿通するための、上下の周縁部に座金面が形成された、定着板の厚さと同じかそれより短い高さの筒形の鋼管が固着されていることで、鋼管に、捨てコンクリート上に設置したベース部から立設するポストアングルに固着されたスタッドボルトを挿通し、スタッドボルトを、上下方向から定着板を挟持するように一対のナットで締結することで、定着板の設置高さを無段階で調節できることを特徴とするアンカーボルトの定着板。
【請求項３】
捨てコンクリート上に設置されるベース部と、ベース部から立設し、上端の内隅部分にスタッドボルトが鉛直上方に突出するように固着されたＬ型断面のポストアングルと、請求項１または２の定着板と、定着板に挿通したスタッドボルトを鉛直上下方向から締結して定着板を挟持する一対のナットと、からなり、２以上のアンカーボルトを孔部に挿入して支持する請求項１または２の定着板にスタッドボルトを挿通したうえ、定着板の設置高さを調節しながら、定着板に挿通したスタッドボルトを鉛直上下方向からナットで締結固定することで、アンカーボルトの設置高さを無段階で調節できることを特徴とするアンカーボルト支持装置。
【発明の詳細な説明】
【技術分野】
【０００１】
本発明は、基礎コンクリートに埋設するアンカーボルトを、基礎地盤（捨てコンクリート）上に設置したアンカーボルト支持装置（アンカーボルト設置用架台）に取り付けて固定する際に使用する定着板及びこれを用いたアンカーボルト支持装置に関する。
【背景技術】
【０００２】
建築物の基礎コンクリート内にアンカーボルト支持装置と共に埋設するアンカーボルトは、基礎コンクリートと、基礎コンクリート上に建てられる建築物とをつなぎ、建築物を基礎コンクリートに固定する重要な役割を果たす。
このアンカーボルトを支持するアンカーボルト支持装置は、複数のアンカーボルトを所定の位置に的確に支持することが求められ、アンカーボルトの設置高さは基礎コンクリートの高さなどによって定まるため、施工現場の状況に合わせて、アンカーボルトの設置構造を設計し、アンカーボルトの設置高さを調節する必要がある。
【０００３】
そこで、特許文献１には、捨てコンクリート上に設置されるベースフレームに突設され、かつ、上下方向複数段に亘ってボルト挿通孔が開設された支柱と、アンカーボルトの下端部に形成されたねじ部が挿入される孔部を備えた定着板にいずれかの段の上記ボルト挿通孔に位置合わせされるナット体が横向きに固着されてなるアンカーボルト支持体と、いずれかの段の上記ボルト挿通孔に挿通されて上記ナット体のねじ孔にねじ込まれることにより上記ナット体と共働して上記支柱を挾持する頭付きボルトと、上記定着板の孔部に挿入されたアンカーボルトの上記ねじ部にねじ込まれることによってその定着板を挟持すると共に上記ねじ部に対するねじ込み位置を変更可能な一対のナットと、を備えたアンカーボルト定着装置が開示されている。
【０００４】
この発明によれば、アンカーボルトの設置高さを、次の２段階によって調節できる。
１つ目は、アンカーボルト支持体による粗調節である。
アンカーボルト支持体は、定着板と定着板に固着されたナット体からなり、このナット体と、上下方向の複数段に開設された支柱のボルト挿通孔とを位置合わせして頭付きボルトがねじ込まれることで、アンカーボルト支持体の設置高さが決定する。
つまり、支柱に開設された複数段のボルト挿通孔のうちのどの段のボルト挿通孔を選ぶかによって、アンカーボルト支持体の設置高さ、つまり、アンカーボルトの設置高さを粗調節できる。
２つ目は、定着板を挟持する一対のナットによる微調節である。
定着板の孔部に挿入されたアンカーボルトは、定着板を挟持するように定着板の上下方向から一対のナットで締めることで、アンカーボルトの下端部に形成されたねじ部が定着板に固定され、アンカーボルトの設置高さが決定する。
つまり、一対のナットがアンカーボルトの下端部に形成されたねじ部に対するねじ込み位置を変更することによって、アンカーボルトの設置高さを無段階で微調節できる。
【先行技術文献】
【特許文献】
【０００５】
【特許文献１】特開2001−279681公報
【発明の概要】
【発明が解決しようとする課題】
【０００６】
しかし、１つ目の粗調節は、予め支柱に開設された上下方向の複数段のボルト挿通孔の位置によって決まってしまうため、例えば、ボルト挿通孔同士の中間で固定することはできず、大雑把な調節しかできない。
また、２つ目の微調節は、定着板の上下方向から締結するナットのねじ込み位置を変更するだけでアンカーボルトの設置高さを無段階で調節できるため、極めて精度の高い調節が可能になるが、例えば、１の定着板で複数のアンカーボルトを支持するような場合には、その複数のアンカーボルトの全てを調節する必要があり、逆に手間が増えてしまう。
【０００７】
１の定着板で複数のアンカーボルトを支持するような場合、アンカーボルトの１本１本を調節する必要は無く、１の定着板のみを調節すれば足りる。
そのため、アンカーボルト１本１本の設置高さを調節する調節手段は必要なく、むしろ、複数のアンカーボルトを支持している１の定着板の設置高さを無段階で調節できることが望まれる。
【０００８】
そこで、本発明は、上記課題に鑑み、複数のアンカーボルトを支持する１の定着板の設置高さを無段階で調節できるアンカーボルトの定着板及びこれを用いたアンカーボルト支持装置を提供することを課題とする。
【課題を解決するための手段】
【０００９】
本発明は、上記課題を解決するため、次の技術的手段を講じている。
【００１０】
本発明は、
アンカーボルトの下端部に形成されたねじ部が挿入される２以上の孔部を備えた定着板であって、
定着板の側端には、定着板の厚さと同じかそれより短い高さの筒形の鋼管が固着されており、
複数のアンカーボルトを支持する定着板の鋼管に、捨てコンクリート上に設置したベース部から立設するポストアングルに固着されたスタッドボルトを挿通し、
スタッドボルトを、上下方向から挟持するように一対のナットで締結することで、
定着板の設置高さを無段階で調節できる
ことを特徴とするアンカーボルトの定着板である。
【００１１】
本発明は、複数のアンカーボルトを支持する１の定着板の設置高さを無段階で調節できるアンカーボルトの定着板であり、捨てコンクリート上に設置したベース部から立設するポストアングルに固着されたスタッドボルトを、定着板の側端に固着された筒形の鋼管に挿通し、定着板の上下方向から定着板を挟持するように一対のナットで締結することを特徴とする。
これによって、定着板の設置高さを無段階で調節でき、その結果、アンカーボルトの設置高さを無段階で調節できる。
定着板は、アンカーボルトの下端部に形成されたねじ部が挿入される２以上の孔部を備えており、側端には、定着板の厚さと同じかそれより短い高さの筒形の鋼管が固着されており、この鋼管内にスタッドボルトを挿通させる。
そのため、鋼管は、スタッドボルトよりも大きい径のものを用いる。
鋼管の定着板に対する固着は、溶接を使うこともできるし、接着剤を使うこともできる。
【００１２】
本発明は、
アンカーボルトの下端部に形成されたねじ部が挿入される２以上の孔部を備えた定着板であって、
定着板には、側端に切欠溝が形成され、
切欠溝には、定着板の厚さと同じかそれより短い高さの筒形の鋼管が固着されており、
複数のアンカーボルトを支持する定着板の鋼管に、捨てコンクリート上に設置したベース部から立設するポストアングルに固着されたスタッドボルトを挿通し、
スタッドボルトを、上下方向から挟持するように一対のナットで締結することで、
定着板の設置高さを無段階で調節できる
ことを特徴とするアンカーボルトの定着板である。
【００１３】
本発明は、前記発明の定着板に対し、側端に切欠溝を形成し、切欠溝に鋼管を固着したことを特徴とする。
切欠溝には、定着板の厚さと同じかそれより短い高さの筒形の鋼管が固着されており、この鋼管内にスタッドボルトを挿通させる。
そのため、鋼管は、スタッドボルトよりも大きい径のものを用いる。
定着板に対する鋼管の固着は、溶接を使うこともできるし、接着剤を使うこともできる。
切欠溝は、定着板の孔部に挿通するアンカーボルトの重心と近い位置に鋼管を固着するため、定着板の側端を切り欠くように形成するが、アンカーボルトは重量があるため、アンカーボルトを挿通する孔部から等間隔離れた位置に形成することもできる。
これにより、定着板に偏った力が生じ、定着板が水平を保てなくなる結果、アンカーボルトの設置位置がズレてしまうことを防ぐことができる。
切欠溝は、定着板に生じる力に偏りが無ければ、定着板のどの位置にでも形成することができる。
【００１４】
本発明は、
アンカーボルトの下端部に形成されたねじ部が挿入される２以上の孔部を備えた定着板であって、
定着板には、一の貫通孔が形成されており、
複数のアンカーボルトを支持する定着板の貫通孔に、捨てコンクリート上に設置したベース部から立設するポストアングルに固着されたスタッドボルトを挿通し、
スタッドボルトを、上下方向から挟持するように一対のナットで締結することで、
定着板の設置高さを無段階で調節できる
ことを特徴とするアンカーボルトの定着板である。
【００１５】
本発明は、前記発明の定着板に対し、鋼管を固着させるのではなく、定着板に直接貫通孔を形成したことを特徴とする。
定着板に生じる力に偏りが無ければ、定着板のどの位置に貫通孔を形成することも可能である。
【００１６】
本発明は、
アンカーボルトの下端部に形成されたねじ部が挿入される２以上の孔部を備えた定着板であって、
定着板の側端には、上下の周縁部に座金面が形成された、定着板の厚さ大の高さの筒形の鋼管が固着されており、
複数のアンカーボルトを支持する定着板の鋼管に、捨てコンクリート上に設置したベース部から立設するポストアングルに固着されたスタッドボルトを挿通し、
スタッドボルトを、上下方向から挟持するように一対のナットで締結することで、
定着板の設置高さを無段階で調節するとともに、座金面がナットの緩みを防いでスタッドボルトに強固に固定できる
ことを特徴とするアンカーボルトの定着板である。
【００１７】
本発明は、鋼管の上下の周縁部に座金面が形成されていることを特徴とする。
本発明に係る定着板は、スタッドボルトに挿通した状態でナットで締結して固定するが、スタッドボルトを挿通する鋼管は、定着板の側端に固着されているため、締結したナットが定着板と接触する面積は少ない。
また、鋼管は、スタッドボルトを挿通させることができる程度の大きさの径のものを使用できるが、ボルト径に対して大きい場合、座面を安定させることが望ましい。
そこで、鋼管の上下の周縁部に座金面を形成することで、ナットが広い面積で押さえつけて、ナットの緩みを防止するようにした。
座金面は、鋼管の上下の周縁部から外周方向に向かって水平に延びる円盤状のもので、鋼管と一体に形成されており、ナットの回転を防止するためのものである。
座金面は、どのような形状でもよく、平座金のように円盤状でも良いし、歯付き座金のように多数の歯を形成することもできる。
また、座金面は、上下の周縁部の一方のみに形成することもできる。
【００１８】
本発明は、
アンカーボルトの下端部に形成されたねじ部が挿入される２以上の孔部を備えた定着板であって、
定着板には、側端に切欠溝が形成され、
切欠溝には、上下の周縁部に座金面が形成された、定着板の厚さ大の高さの筒形の鋼管が固着されており、
複数のアンカーボルトを支持する定着板の鋼管に、捨てコンクリート上に設置したベース部から立設するポストアングルに固着されたスタッドボルトを挿通し、
スタッドボルトを、上下方向から挟持するように一対のナットで締結することで、
定着板の設置高さを無段階で調節するとともに、座金面がナットの緩みを防いでスタッドボルトに強固に固定できる
ことを特徴とするアンカーボルトの定着板である。
【００１９】
本発明は、前記発明の定着板に対し、側端に切欠溝を形成し、切欠溝に鋼管を固着したことを特徴とする。
切欠溝には、定着板の厚さと同じかそれより短い高さの筒形の鋼管が固着されており、この鋼管内にスタッドボルトを挿通させる。
そのため、鋼管は、スタッドボルトよりも大きい径のものを用いる。
定着板に対する鋼管の固着は、溶接を使うこともできるし、接着剤を使うこともできる。
切欠溝は、定着板の孔部に挿通するアンカーボルトの重心と近い位置に鋼管を固着するため、定着板の側端を切り欠くように形成するが、アンカーボルトは重量があるため、アンカーボルトを挿通する孔部から等間隔離れた位置に形成することもできる。
これにより、定着板に偏った力が生じ、定着板が水平を保てなくなる結果、アンカーボルトの設置位置がズレてしまうことを防ぐことができる。
切欠溝は、定着板に生じる力に偏りが無ければ、定着板のどの位置にでも形成することができる。
【００２０】
本発明は、
捨てコンクリート上に設置されるベース部と、
ベース部から立設し、上端の内隅部分にスタッドボルトが鉛直上方に突出するように固着されたＬ型断面のポストアングルと、
前記したいずれかの発明の定着板と、
定着板に挿通したスタッドボルトを鉛直上下方向から締結して定着板を挟持する一対のナットと、
からなり、
２以上のアンカーボルトを孔部に挿入して支持する前記したいずれかの発明の定着板にスタッドボルトを挿通したうえ、
定着板の設置高さを調節しながら、定着板に挿通したスタッドボルトを鉛直上下方向からナットで締結固定することで、
アンカーボルトの設置高さを無段階で調節できる
ことを特徴とするアンカーボルト支持装置である。
【００２１】
本発明は、前記したいずれかの発明の定着板を構成部品とするアンカーボルトの支持装置に関する。
前記したいずれかの発明の定着板が、捨てコンクリート上に設置したベース部から立設するポストアングルに固着されたスタッドボルトを鋼管に挿通し、定着板の上下方向から定着板を挟持するように一対のナットで締結することで、アンカーボルトの設置高さを無段階で調節できる。
【発明の効果】
【００２２】
本発明では以下の効果を奏する。
１）極めて簡便な治具のみによって構成されたアンカーボルト支持装置であるため、扱いが極めて容易で、現場において、溶接を一切使わず、ボルトとナットのみでアンカーボルト支持装置を組み立てることができる。
２）２以上のアンカーボルトを孔部に挿入して支持する定着板の設置高さを調節することで、２以上のアンカーボルトの設置高さをまとめて無段階で調節できる。
【図面の簡単な説明】
【００２３】
【図１】定着板の一実施例の正面図
【図２】図１の背面図
【図３】図１の右側面図
【図４】図１の左側面図
【図５】図１の平面図
【図６】図１の底面図
【図７】図１のＡ−Ｂ−Ｃ線組合せ断面図
【図８】定着板にスタッドボルトを挿通した状態の一実施例の側面図
【図９】定着板にスタッドボルトを挿通した状態の一実施例の側面図
【図１０】座金面を有する鋼管を固着した定着板の一実施例の正面図
【図１１】図１０の定着板にスタッドボルトを挿通した状態の一実施例の側面図
【図１２】アンカーボルト支持装置における定着板の設置位置を表した平面図
【発明を実施するための形態】
【００２４】
図１乃至７は、アンカーボルトを２本支持する定着板の一実施例を表した図である。
定着板には、ねじ部が形成されたアンカーボルトの下端部が挿入される孔部１が２つ形成されている。
また、各孔部１から等間隔の側端に切欠溝２が形成されている。
切欠溝２には、定着板の厚さと同じ高さの筒形の鋼管３が溶接によって固着されている。
鋼管３は、スタッドボルトを挿通するため、スタッドボルトよりも大きい径のものを用いる。
鋼管３にスタッドボルトを挿通し、定着板の上下方向から定着板を挟持するように一対のナットで締結することで、定着板の設置高さを無段階で調節できる結果、アンカーボルトの設置高さを無段階で調節できる。
【００２５】
切欠溝２は、各孔部１から等間隔の位置に形成し、各孔部１から等間隔の位置に鋼管３を固着してあるが、定着板に生じる力に偏りが無ければ、定着板のどの位置に切欠溝２を形成し、鋼管３を固着することも可能である。
切欠溝２を形成しないで、定着板の側端に鋼管３を固着することもできる。
鋼管３の定着板に対する固着は、溶接を使うこともできるし、接着剤を使うこともできる。
また、切欠溝２を形成せず、鋼管３も固着せず、定着板に貫通孔を形成することもできる。
この場合、スタッドボルトは、定着板に形成された貫通孔に挿通することになる。
その場合でも、貫通孔に挿通したスタッドボルトを、定着板の上下方向から定着板を挟持するように一対のナットで締結することで、定着板の設置高さを無段階で調節でき、その結果、アンカーボルトの設置高さを無段階で調節できる。
【００２６】
図８及び９は、定着板にスタッドボルトを挿通した状態を表した図である。
スタッドボルト４の鉛直上下方向から、定着板５を挟持するように一対のナット６で締結する。
スタッドボルト４は、図８のように、捨てコンクリート上に設置したベース部から立設するポストアングル７に溶接等で固着することもできるし、図９のように、下端部にナット６を取り付けたスタッドボルト４をポストアングル７上に載置するようにしてポストアングル７の内隅部にＵボルトで締結し、固定することもできる。
図９の場合は、ポストアングル７との間でスタッドボルト４の締結位置を変えることで、定着板５（アンカーボルト）の設置高さを調節できる。
【００２７】
図１０及び１１は、定着板５の切欠溝２に、上下の周縁部に座金面８が形成された鋼管３を固着した実施例を表した図である。
鋼管３の上下の周縁部に座金面８を形成することで、ナット６が広い面積で定着板５を押さえつけるようにして締結できるため、ナット６の緩みを防止できる。
座金面８はどのような形状でもよく、平座金のように円盤状でも良いし、歯付き座金のように多数の歯を形成することもできる。
また、座金面８は、鋼管３の上下の周縁部の一方のみに形成することもできる。
座金面８を形成した鋼管３は、切欠溝２を形成しない定着板５に固着させることもできる。
座金面８が形成されていることで、切欠溝２を形成しない定着板５の側端に鋼管３が固着される場合でも、ナット６が広い面積で定着板５を押さえつけるようにして締結できるため、ナット６の緩みを防止できる。
【００２８】
図１２は、捨てコンクリート上に設置されるベース部から立設するスタッドボルトを挿通した状態の定着板の設置位置を表した図である。
定着板５は、アンカーボルト支持装置の四隅に設置する。
スタッドボルト４は、ベース部から直接立設するように取り付けることもできるし、ポストアングル７に固着またはＵボルトで締結して鉛直上方に突出するように取り付けることができる。
定着板５は、鋼管３もしくは貫通孔に、鉛直上方に突出するスタッドボルト４を挿通させることで、アンカーボルト支持装置に設置する。
アンカーボルト支持装置におけるスタッドボルト４に対する定着板５の設置高さは、ナット６の締結位置を変えることで、無段階に調節できる。
これにより、アンカーボルトの設置位置も無段階に調節できる。
【００２９】
以上の実施形態からなるアンカーボルト支持装置によれば、複数のアンカーボルトを支持する一の定着板を、簡単に、精度良くアンカーボルト支持装置に取り付け、無段階で設置高さを調節できる。
【符号の説明】
【００３０】
１  孔部
２  切欠溝
３  鋼管
４  スタッドボルト
５  定着板
６  ナット
７  ポストアングル
８  （定着板の）座金面
【図１】
0006584155.tif 000002
【図２】
0006584155.tif 000003
【図３】
0006584155.tif 000004
【図４】
0006584155.tif 000005
【図５】
0006584155.tif 000006
【図６】
0006584155.tif 000007
【図７】
0006584155.tif 000008
【図８】
0006584155.tif 000009
【図９】
0006584155.tif 000010
【図１０】
0006584155.tif 000011
【図１１】
0006584155.tif 000012
【図１２】
0006584155.tif 000013